(57)【要約】【課題】  電子ビューファインダと液晶表示モニタを有する撮像装置において、電子ビューファインダの調整を容易にする。【解決手段】  システム制御装置２０は、モニタ開閉検出スイッチ３０が開状態か閉状態か、及び、モニタ反転検出スイッチ３２が正転位置か反転位置かに応じて、液晶表示モニタ２４及び電子ビューファインダ２２の点灯／消灯を制御する。通常、液晶表示モニタ２４を撮影者側に向けている場合、電子ビューファインダ２２を消灯する。しかし、電子ビューファインダ２２の調整メニューが選択された場合、電子ビューファインダ２２を点灯する。【選択図】  図１
2008289053.tif 000002
【特許請求の範囲】
【請求項１】
被写体の表示画像を接眼状態で確認する電子ビューファインダと、
ヒンジ機構により筐体に対し開閉及び回転できるように支持される液晶表示モニタと、
前記液晶表示モニタの開閉状態を検出する開閉検出手段と、
前記液晶表示モニタの表示画面が正転位置か反転位置かを検出する反転検出手段と、
前記開閉検出手段、及び反転検出手段の検出出力に基づき、前記電子ビューファインダと前記液晶表示モニタの点灯／消灯を制御する制御手段であって、前記液晶表示モニタが点灯し、かつ、前記電子ビューファインダが消灯している場合に、前記電子ビューファインダの調整設定画面への移行に応じて、前記電子ビューファインダを点灯させる制御手段
とを有することを特徴とする撮像装置。
【請求項２】
前記制御手段は、前記電子ビューファインダの調整設定の終了に応じて、前記電子ビューファインダを消灯に切り替えることを特徴とする請求項１に記載の撮像装置。
【請求項３】
更に、前記液晶表示モニタの画面上に配置されるタッチパネルを具備し、
前記液晶表示モニタは、前記電子ビューファインダの調整設定画面を表示することを特徴とする請求項１に記載の撮像装置。
【請求項４】
前記液晶表示モニタの表示画面の側に、前記電子ビューファインダの調整設定に使用する操作手段を有することを特徴とする請求項１乃至３の何れか１項に記載の撮像装置。
【請求項５】
前記液晶表示モニタを前記筐体に閉じた状態で、隠れて操作が行えなくなる位置に、前記電子ビューファインダの調整設定に使用する操作手段を有することを特徴とする請求項１乃至３の何れか１項に記載の撮像装置。
【発明の詳細な説明】
【技術分野】
【０００１】
本発明は、液晶表示モニタと電子ビューファインダの両方を有する撮像装置に関する。
【背景技術】
【０００２】
多くの小型ビデオカメラは、本体の側面に開閉可能な液晶表示モニタを具備する。この液晶表示モニタの多くは、不使用時には、筐体側に画面を向けた状態で筐体側面の空間に収容されている。液晶表示モニタを筐体側面から開いた状態では、表示画面が撮影者側に向いた位置と、被写体側を向いた位置との間で回転可能である。更には、液晶表示モニタを、筐体側面に反転状態で収納することで、表示画面を外部に露出した状態にすることができる。
【０００３】
このような液晶表示モニタの画面上にタッチパネルを配置したビデオカメラが知られている。また、タッチパネル付きの液晶表示モニタと、電子ビューファインダの両方を備えるビデオカメラも知られている。
【０００４】
タッチパネル付きの液晶表示モニタと電子ビューファインダの両方を具備する場合、電子ビューファインダの画質と輝度を、液晶表示モニタ上のタッチパネルを操作することにより調整できるビデオカメラも知られて（特許文献１参照）。
【特許文献１】特開２００１−３２６８４３号公報
【発明の開示】
【発明が解決しようとする課題】
【０００５】
液晶表示モニタ上のタッチパネルを操作するには、液晶表示モニタを開く必要がある。液晶表示モニタも、電子ビューファインダと同様に被写体の構図などを確認するのに利用できることから、液晶表示モニタを開いている状態では、電子ビューファインダを省電力の消灯状態又は非表示状態に制御するビデオカメラがある。電子ビューファインダを撮影者が覗き込む状態又は電子ビューファインダの接眼部に目を接近させている状態を検出すると、電子ビューファインダに被写体像を表示する利用状態（点灯状態又は表示状態）に制御するビデオカメラもある。
【０００６】
いずれにしても、電子ビューファインダの画質又は輝度を調整する際、利用者は、調整結果を確認するために、電子ビューファインダを覗き込む必要がある。液晶表示モニタが開いているときに電子ビューファインダを点灯させないビデオカメラでは、液晶表示モニタを収納しなければならない。これでは微妙な調整は不可能である。
【０００７】
液晶表示モニタを開いた状態、又は、表示画面を外側に向けて液晶表示モニタをカメラ筐体に収容した状態では、利用者は、タッチパネルを操作できる。このとき、電子ビューファインダを覗き込みながら、電子ビューファインダの画質又は輝度を調整することになると、しばしばタッチパネルをブラインド操作することになり、操作性が悪く、誤操作をしかねない。
【０００８】
本発明は、このような不都合を解消し、電子ビューファインダの画質又は輝度の調整の操作性を改善した撮像装置を提示することを目的とする。
【課題を解決するための手段】
【０００９】
本発明の撮像装置は、被写体の表示画像を接眼状態で確認する電子ビューファインダと、ヒンジ機構により筐体に対し開閉及び回転できるように支持される液晶表示モニタと、前記液晶表示モニタの開閉状態を検出する開閉検出手段と、前記液晶表示モニタの表示画面が正転位置か反転位置かを検出する反転検出手段と、前記開閉検出手段、及び反転検出手段の検出出力に基づき、前記電子ビューファインダと前記液晶表示モニタの点灯／消灯を制御する制御手段であって、前記液晶表示モニタが点灯し、かつ、前記電子ビューファインダが消灯している場合に、前記電子ビューファインダの調整設定画面への移行に応じて、前記電子ビューファインダを点灯させる制御手段とを有することを特徴とする。
【発明の効果】
【００１０】
本発明によれば、電子ビューファインダが消灯している状態でも、電子ビューファインダ調整設定画面に移行した際に電子ビューファインダを点灯する。これにより、液晶表示モニタを反転収納する動作を行うことなく、電子ビューファインダを覗きながら、電子ビューファインダの調整を行うことができ、操作性が向上する。また、電子ビューファインダを右眼で覗きながら、左眼で液晶表示モニタの表示画面上の操作ボタンを容易に確認できるので、この点でも操作性が向上する。
【発明を実施するための最良の形態】
【００１１】
以下、図面を参照して、本発明の実施例を詳細に説明する。
【００１２】
図１は、本発明の一実施例であるビデオカメラの概略構成ブロック図を示す。図２は、本実施例の外観斜視図を示す。なお、本実施例は、追記型の書込み可能光ディスクであるＤＶＤ−Ｒ（Digital Versatile Disk Recordable）を記録媒体として使用する。
【００１３】
撮像素子１０は、被写体の光学像を電気画像信号に変換する。マイク１２は、周囲の音声を電気音声信号に変換する。映像音声処理装置１４は、撮像素子１０からの画像信号を取り込み、一定形式の映像信号に変換又は加工して、記録用に記録再生装置１６に供給し、モニタ用にシステム制御装置２０に供給する。映像音声処理装置１４はまた、マイク１２からの音声信号を取り込み、一定形式に変換又は加工して、記録用に記録再生装置１６に供給する。
【００１４】
記録再生装置１６は、映像音声処理装置１４からの映像信号及び音声信号を記録用に処理して記録媒体１８に記録する。記録媒体１８は、例えばＤＶＤ−Ｒであり、記録再生装置１６は、ＤＶＤ−Ｒを駆動するＤＶＤ−Ｒドライブと、ＤＶＤ−Ｒをファイナライズする機能を具備する。ＤＶＤ−Ｒドライブにはディスク脱着機構が内蔵されており、ユーザは記録媒体１８であるＤＶＤ−Ｒを交換可能である。
【００１５】
システム制御装置２０は、映像音声処理装置１４からのモニタ用の映像信号及び再生映像信号を接眼式の電子ビューファインダ２２及び／又は液晶表示モニタ２４に供給する。これにより、撮影者は、撮影対象の構図と再生画像を視覚的に確認できる。電子ビューファインダ２２は、接眼状態で被写体、撮影範囲、ピント及び構図などを確認するのに使用される。
【００１６】
液晶表示モニタ２４は、図２及び図３に示すように、２軸のヒンジ機構２５で回転可能に筐体に支持されている。即ち、図３に矢印で示すように、液晶表示モニタ２４は、ヒンジ機構２５の第１の回転軸を中心に、筐体の側面のモニタ収納室に収納された位置と、収納室から取り出された表示位置との間で回転可能である。液晶表示モニタ２４は更に、表示画面を撮影者側（後側）に向けた位置と、表示画面を被写体側に向けた位置との間で、第１の回転軸に垂直な第２の回転軸を中心に回転可能である。液晶表示モニタ２４のこのような機能のヒンジ機構２５は、周知である。
【００１７】
液晶表示モニタ２４の表示面には、抵抗膜方式のタッチパネル２６が配置されている。液晶表示モニタ２４の表示画面を被写体側に向けた状態で、液晶表示モニタ２４を収納室に収納することができる。このとき、液晶表示モニタ２４の表示画面は外側を向くので、この位置で、ユーザは、画像（撮影画像又は再生画像）を確認できるし、タッチパネル２６を利用できる。
【００１８】
システム制御装置２０はまた、動作状態、設定、並びに、操作装置２８及びタッチパネル２６を使ったユーザの操作に従い、全体を制御する。操作装置２８は、電源のオンオフを行う電源スイッチ、再生モードと記録モードを切り替えるモードスイッチ、記録の開始および終了を操作するスタート／ストップボタン等からなる。ユーザが電源スイッチをオンすることにより、本実施例のビデオカメラが動作状態となる。
【００１９】
モニタ開閉検出スイッチ３０は、液晶表示モニタ２４の開閉状態、即ち、液晶表示モニタ２４が、筐体から取り出された開位置にあるか、筐体に収容された閉位置にあるかを検出する。モニタ反転検出スイッチ３２は、第２の回転軸を中心として液晶表示モニタ２４が正転位置か反転位置かを検出する。検出スイッチ３０，３２は、検出結果をシステム制御装置２０に出力する。
【００２０】
電池３４は、各部に必要な電力を供給する。
【００２１】
本実施例の基本動作を説明する。撮影スタンバイ時には、映像音声処理装置１４は、撮像素子１０からの画像信号を取り込み、一定形式の映像信号に変換又は加工し、モニタ用にシステム制御装置２０に供給する。システム制御装置２０は、映像音声処理装置１４からのモニタ用の映像信号を電子ビューファインダ２２又は液晶表示モニタ２４に供給する。これにより、ユーザ（撮影者）は、被写体の構図等を確認できる。
【００２２】
操作装置２８を使った撮影者の記録指示に従い、システム制御装置２０は、映像音声処理装置１４と記録再生装置１６に記録用の処理を指示する。この指示に従い、映像音声処理装置１４は、撮像素子１０及びマイク１２の出力信号を取り込み、記録用に記録再生装置１６に供給する。記録再生装置１６は、映像音声処理装置１４からの映像信号及び音声信号を記録用に処理して記録媒体１８に記録する。
【００２３】
再生モードでは、次のように動作する。即ち、システム制御装置２０は、操作装置２８によりユーザが指示した映像音声の再生を記録再生装置１６に指示する。記録再生装置１６は、指示された映像音声を記録媒体１８から読み出し、再生処理して映像音声処理装置１４に供給する。映像音声処理装置１４は、記録再生装置１６からの再生映像信号をモニタ用に変換して、システム制御装置２０に供給する。システム制御装置２０は、映像音声処理装置１４からの再映映像信号を電子ビューファインダ２２又は液晶表示モニタ２４に供給する。これにより、ユーザは、再生画像を電子ビューファインダ２２又は液晶表示モニタ２４の画面上で確認できる。スピーカを装備する場合には、再生音声が当該スピーカから出力される。
【００２４】
本実施例では、液晶表示モニタ２４の位置に応じて、液晶表示モニタ２４及び電子ビューファインダ２２の照明光源の点灯／消灯を制御する。液晶表示モニタ２４の照明光源を点灯しているとき、液晶表示モニタ２４で所望の画像を表示できる。照明光源を消灯しているとき、液晶表示モニタ２４は、いわば停止状態又は無給電状態であり、何の画像も表示できない。電子ビューファインダ２２も同様である。
【００２５】
具体的には、システム制御装置２０は、モニタ開閉検出スイッチ３０及びモニタ反転検出スイッチ３２の検出出力に応じて、液晶表示モニタ２４及び電子ビューファインダ２２の点灯／消灯を制御する。正転位置では、液晶表示モニタ２４を開いた場合に、液晶表示モニタ２４の画面が撮影者側に向いており、液晶表示モニタ２４を閉じた場合には、液晶表示モニタ２４の画面が筐体内に向いている。反転位置では、液晶表示モニタ２４を開いた場合に、液晶表示モニタの画面が被写体側に向いており、液晶表示モニタ２４を閉じた場合には、液晶表示モニタ２４の画面が外側に向いている。
【００２６】
図４に示すように、モニタ開閉検出スイッチ３０及びモニタ反転検出スイッチ３２の検出結果について、４つの組み合わせがある。システム制御装置２０は、モニタ開閉検出スイッチ３０及びモニタ反転検出スイッチ３２の検出結果に従い、図４に示すように、電子ビューファインダ２２及び液晶表示モニタ２４の点灯／消灯を制御する。
【００２７】
状態１として示す組み合わせでは、液晶表示モニタ２４は収納室から取り出されて、その画面が撮影者側に向けられている。このとき、システム制御装置２０は、液晶表示モニタ２４を点灯し、電子ビューファインダ２２を消灯する。最も一般的な撮影状態であり、撮影者は、液晶表示モニタ２４に表示される被写体画像を見ながら撮影を行う。
【００２８】
状態２として示す組み合わせでは、液晶表示モニタ２４は、収納室から取り出されて、その画面が被写体側に向けられている。このとき、システム制御装置２０は、液晶表示モニタ２４及び電子ビューファインダ２２を共に点灯する。撮影者は、電子ビューファインダ２２を使用して被写体を確認でき、被写体となった人物は、液晶表示モニタ２４の表示画面で自身を確認できる。後者は、いわゆる、対面撮影モードである。
【００２９】
状態３として示す組み合わせでは、液晶表示モニタ２４が、その表示画面を筐体に向けて収納されている。このとき、システム制御装置２０は、液晶表示モニタ２４を消灯し、電子ビューファインダ２２を点灯する。電子ビューファインダ２２のみを使って、撮影する。
【００３０】
状態４として示す組み合わせでは、液晶表示モニタ２４が、その表示画面を外側に向けて収納されている。このとき、システム制御装置２０は、液晶表示モニタ２４を点灯し、電子ビューファインダ２２も点灯する。撮影者は、液晶表示モニタ２４と電子ビューファインダ２２のどちらでも、被写体の構図等を確認できる。また、第三者も、液晶表示モニタ２４の表示画面で被写体の構図等を確認できる。
【００３１】
図５を参照して、電子ビューファインダ２２の画質調整時の操作手順を説明する。
【００３２】
操作手順１で、操作装置２８の電源スイッチをオンにし、本実施例のビデオカメラを起動させる。このとき、液晶表示モニタ２４は、筐体に内側に向けて収納されており、スイッチ３０，３２の検出結果は、図３の状態３に相当する状態になっている。すなわち、電子ビューファインダ２２のみが点灯している。
【００３３】
操作手順２で液晶表示モニタ２４を収納室から取り出す。これにより、図３の状態１に移行し、システム制御装置２０は、液晶表示モニタ２４を点灯し、電子ビューファインダ２２を消灯する。
【００３４】
操作手順３で、タッチパネル２６を操作し、表示設定画面を液晶表示モニタ２４に表示させる。図６は、表示設定画面例を示す。この画面で、ユーザは、液晶表示モニタ２４及び電子ビューファインダ２２の明るさ、クロマ及びバックライトを調整できる。「明るさ調整」は、映像信号のブライト値を変化させ、表示画像の明るさを調整する機能である。「クロマ調整」は、映像信号のクロマゲイン値を変化させ、表示画像のクロマを調整する機能である。「バックライト調整」は、液晶表示モニタ２４及び電子ビューファインダ２２に備え付けられているバックライトＬＥＤの輝度を調整する機能である。
【００３５】
操作手順４では、表示設定画面のメニューから電子ビューファインダ２２の調整したい項目を選び、タッチパネル２６を操作し選択する。例えば、電子ビューファインダ２２の明るさを調整する「ＶＦ  明るさ調整」を選択したとする。このとき、システム制御装置２０は、液晶表示モニタ２４の表示画面を図７に示す「ＶＦ  明るさ調整」画面に切替え、同時に、電子ビューファインダ２２を点灯させる。この「ＶＦ  明るさ調整」画面が、特許請求の範囲の調整設定画面に相当する。
【００３６】
操作手順５で、「ＶＦ  明るさ調整」画面上の「＋」ボタンと「−」ボタンをタッチパネル２６で操作して、電子ビューファインダ２２の明るさを調整する。その際、電子ビューファインダ２２を覗きながら、タッチパネル２６操作することにより、調整による変化を確認しながら、電子ビューファインダ２２の明るさを調整できる。また、電子ビューファインダ２２を右眼で覗きながら、左眼で液晶表示モニタ２４の表示画面上の操作ボタン位置を視認することも可能である。
【００３７】
調整が終了したら、操作手順６で、液晶表示モニタ２４の表示画面上の「決定」ボタンを押す。すると、「ＶＦ  明るさ調整」画面から抜けて、表示設定画面に戻る。このとき、システム制御装置２０は、電子ビューファインダ２２を消灯させる。即ち、システム制御装置２０は、電子ビューファインダ２２の調整設定の終了に応じて、電子ビューファインダ２２を消灯させる。
【００３８】
以上、説明したように、本実施例では、液晶表示モニタ２４の画面上のタッチパネル２６を操作して電子ビューファインダ２２の調整画面に移行した際に、電子ビューファインダ２２を点灯する。これにより、液晶表示モニタ２４を反転又は収納する動作を行うことなく、電子ビューファインダ２２を覗きながら、電子ビューファインダ２２を調整することができる。
【００３９】
また、電子ビューファインダ２２を右眼で覗きながら、左眼で液晶表示モニタ２４の表示画面上の操作ボタンを容易に視認できるので、タッチパネル２６を容易に操作できる。
【００４０】
本発明は、上述しかつ図面に示した実施例に限定されるものではなく、その要旨を逸脱しない範囲内で種々の変形実施が可能である。
【００４１】
例えば、画質調整項目は、上述した項目に限定されるものではなく、その他の調整項目であってもよい。
【００４２】
また、液晶表示モニタ２４上のタッチパネル２６を操作する場合を説明したが、液晶表示モニタ２４を正転収納した際に操作が行えなくなるような操作ボタン又は操作キーであってもよい。また、液晶表示モニタ２４を収納した際に隠れて操作が行えなくなるような、ビデオカメラ本体側の操作ボタン又は操作キーを、電子ビューファインダ２２の調整に使用しても良い。
【００４３】
民生用ビデオカメラに適用した実施例を説明したが、業務用ビデオカメラにも適用できることはいうまでもない。
【図面の簡単な説明】
【００４４】
【図１】本発明の一実施例の概略構成ブロック図である。
【図２】本実施例の外観斜視図である。
【図３】本実施例の液晶表示モニタ２２の開閉及び正転・反転動作を示す図である。
【図４】検出スイッチ３０，３２の検出結果と、電子ビューファインダ２２及び液晶表示モニタ２４の点灯／消灯の組み合わせ例である。
【図５】電子ビューファインダ２２の画質調整の操作手順例である。
【図６】電子ビューファインダ２２及び液晶表示モニタ２４の表示設定画面例である。
【図７】電子ビューファインダ２２の明るさ調整画面例である。
【符号の説明】
【００４５】
１０：撮像素子
１２：マイク
１４：映像音声処理装置
１６：記録再生装置
１８：記録媒体
２０：システム制御装置
２２：電子ビューファインダ
２４：液晶表示モニタ
２５：ヒンジ機構
２６：タッチパネル
２８：操作装置
３０：モニタ開閉検出スイッチ
３２：モニタ反転検出スイッチ
３４：電池
【図１】
2008289053.tif 000003
【図２】
2008289053.tif 000004
【図３】
2008289053.tif 000005
【図４】
2008289053.tif 000006
【図５】
2008289053.tif 000007
【図６】
2008289053.tif 000008
【図７】
2008289053.tif 000009